(57)【要約】　　　（修正有）【課題】雨天走行時に於て、ドライバーはサイドミラー鏡面１に付着した水滴で見難くなった後方視界を細心の注意を払って運転するか、危険を承知で手で拭って水滴を除くしかなかった。【解決手段】自動車のサイドミラーに前後広狭にしたパイプ１３を取付け、走行時の空気流を取込み、パイプ１３の径を徐々に狭くして空気流を圧縮させ、排出口９より吐出流としてサイドミラー鏡面１に付着した水滴を吹き飛ばすことができる自動車のサイドミラー鏡面１の水滴除去装置装置を開発する。【効果】なんら高等な技術を必要とせず自動車のサイドミラーに付着する水滴の場所に合わせて取付けることができ、後方の安全視界が確保できる優れた効果を奏するものである。【選択図】　　　　図１
2004090747.tif 000002
【特許請求の範囲】
【請求項１】
自動車のサイドミラーに前後広狭にしたパイプを取付け、走行時の空気流を取込み、上記パイプの径を徐々に狭くして第１屈曲部と第２屈曲部として空気流を圧縮させ、排出口より吐出流としてサイドミラー鏡面に触突させて、自動車が雨天走行する際に鏡面に付着した水滴を吹き飛ばすことができることを特徴とした自動車のサイドミラー鏡面の水滴除去装置。
【請求項２】
自動車のサイドミラーに一体として組込まれたことを特徴とする請求項１に記載の自動車のサイドミラー鏡面の水滴除去装置。
【発明の詳細な説明】
【０００１】
【発明の属する技術分野】
本発明は、自動車の車体に取付けられるサイドミラーに関し、詳しくは走行中の空気流を吐出流としてサイドミラー鏡面に触突させ、サイドミラー鏡面に付着する水滴を除去させる水滴除去装置に関するものである。
【０００２】
【従来の技術】
一般に自動車の車体に取付けられるサイドミラーは、厚みを持たせた流線型とされ、風切り騒音を少なくし、サイドミラー上面を若干張出させてひさしを形成した構造である。サイドミラー鏡面は多少奥まった所に設置され、日差しや異物の触突に対し保護されているものである。
【０００３】
したがって、雨天走行時には雨水が水滴としてサイドミラー鏡面に付着して、後方の視認性を悪くさせる場合が多い。この水滴を除くためサイドミラーを機械的に震動させたり、ヒーター線をサイドミラー鏡面に埋め込んだりして対応する複雑な技術を要していた。
【０００４】
【発明が解決しようとする課題】
雨天走行時に於て、ドライバーはサイドミラー鏡面に付着した水滴で見難くなった後方視界に細心の注意を払って運転するか、または危険を承知で手で拭って水滴を除くしかなかった。
【０００５】
そこで、どの自動車のサイドミラーにも容易に取付けることができ、安価な、サイドミラー鏡面の水滴除去装置の技術開発に成功したものである。
【０００６】
【課題を解決するための手段】
本発明は、上記課題を解決するためになされたものであり、その要旨　とするところは、自動車のサイドミラーに前後広狭にしたパイプを取付け、走行時の空気流を取込み、上記パイプの径を徐々に狭くして第１屈曲部と第２屈曲部として空気流を圧縮させ、排出口より吐出流としてサイドミラー鏡面に触突させて、自動車が雨天走行する際に鏡面に付着した水滴を吹き飛ばすことができることを特徴とした自動車のサイドミラー鏡面の水滴除去装置に関し、また自動車のサイドミラーに一体として組込まれたことを特徴とする自動車のサイドミラー鏡面の水滴除去装置に関するものである。
【０００７】
【発明の実施の形態】
本発明を実施例の図面を参照しながら詳細に説明する。
（実施例１）
図１に於て、Ａは自動車のサイドミラー上面１１に取付けられた水滴除去装置を示し、取入口６と第１屈曲部７と第２屈曲部８と排出口９を有した前後広狭のパイプ１３で構成されている。
【０００８】
図１、図２ｂに於て、水滴除去装置Ａの取入口６の口径は、徐々に径を狭くし第１屈曲部７と第２屈曲部８と排出口９の３箇所で絞られ、最終的に排出口９が最小口径となる。排出口９の向きはサイドミラー２に触突する方向に向けて取付けられる。
【０００９】
図２ｂに於て、水滴除去装置Ａの取入口６の向きは、必ず自動車の進行方向に対して生じる空気流を取込み易い位置に両面接着テープ１０を介在してサイドミラー２に取付けられる。空気流の取込みが容易であればサイドミラー上面１１でも、下面でも取付け位置は限定することなく、サイドミラー鏡面１に付着している水滴の範囲を確認し、圧縮された空気流が水滴を吹き飛ばすことができる最良な位置に決定されるものである。
【００１０】
図３ａ、図３ｂに於て、自動車のサイドミラー２は多種多様の形状をしているため、実際に取付けようとする自動車での雨天走行に於て、サイドミラー鏡面１に一番多く水滴３，４が付着する範囲を確認しておく必要がある。そこでサイドミラー鏡面１の一番多く水滴が付着する範囲を確認し、サイドミラー上面への取付位置を決定し、両面テープ１０で水滴除去装置Ａが貼着される。
【００１１】
図３ａ、図３ｂより、水滴除去装置Ａの作用を詳しく説明する。
図３ａに於て、水滴除去装置Ａをサイドミラー上面１１に取付け、サイドミラー鏡面１より離すことにより排出口９をサイドミラー鏡面１の略下半分の範囲に向けることができる。自動車の進行方向に対して空気流Ｗが取入口６より進入し、第１屈曲部７へ進行する。そこで方向Ｗ１に変更し第２屈曲部８に向かう。更に圧縮されて排出口９より吐出流Ｗ２として、サイドミラー鏡面１の略下半分の水滴３を吹き飛ばすことができる。
【００１２】
図３ｂに於て、水滴除去装置Ａをサイドミラー上面１１に取付け、サイドミラー鏡面１に近づけることにより排出口９をサイドミラー鏡面１の略上半分の範囲に向けることができる。取入口６より空気流Ｗが圧縮され、吐出流Ｗ２として排出口９よりサイドミラー鏡面１の略上半分の水滴４を吹き飛ばすことができる。
【００１３】
更に図４に於て、自動車の外観を含めた違和感を解消するためサイドミラー下面１２に水滴除去装置Ａを逆さまに取付けることもできる。水滴除去装置Ａを逆さまに取付けることにより、取付外観が目立たない状態にすることもできるが、排出口９より雨水Ｓを呼び込んで吐出流Ｗ３として一緒に水滴５を吹き飛ばし、サイドミラー鏡面１の表面洗浄も兼ねることもできる。
【００１４】
（実施例２）
図５に於て、本発明の水滴除去装置Ｂが市販の自動車のサイドミラー２ａに組込まれた状態を示す。この場合は自動車メーカーの風洞試験で最適な取入口６ａと排出口９ａの位置、並びに口径が決定される。
【００１５】
図６ａ、図６ｂに於て、サイドミラー２ａに水滴除去装置Ｂが組込まれているため、排出口９ａの位置も目立たなくすることができ、吐出流Ｗ４も充分な水滴除去機能が発揮されるものである。
【００１６】
【発明の効果】
本発明の水滴除去装置は、なんら高等な技術を必要とせずドライバーが所有する自動車のサイドミラーに付着する水滴の場所に合わせて取付けることができ、後方の安全視界が確保されるため安全走行に優れた効果を奏するものである。
【００１７】
特に本発明に於ては、パイプの径を徐々に狭くし第１屈曲部と第２屈曲部として空気流を圧縮させ、吐出流を高めたので水滴除去効果に寄与するところ大である。
【００１８】
本発明の水滴除去装置は、自動車のサイドミラー上下面のどちらでも取付けでき、各種タイプのサイドミラーにも取付けることができ、極めて汎用性の高いものである。
【図面の簡単な説明】
【図１】本発明をサイドミラー上面に取付けた状態を示す外観斜視図である。
【図２】ａ　本発明をサイドミラー上面に取付けた状態の正面図である。ｂ　本発明をサイドミラー上面に取付けた状態のＹ−Ｙ断面図である。
【図３】ａ　本発明をサイドミラー上面に取付けし、鏡面下部の水滴を吹き飛ばしている状態を示す一部欠截された右側面図である。ｂ　本発明をサイドミラー上面に取付けし、鏡面上部の水滴を吹き飛ばしている状態を示す一部欠截された右側面図である。
【図４】本発明をサイドミラー下面に取付けし、鏡面上部の水滴を吹き飛ばしている状態を示す一部欠截された右側面図である。
【図５】本発明の実施例２を示す外観斜視図である。
【図６】ａ　本発明の実施例２の正面図である。ｂ　本発明の実施例２のＺ−Ｚ断面図である。
【符号の説明】
１　サイドミラー鏡面
２　サイドミラー
２ａサイドミラー
３　水滴
４　水滴
５　水滴
６　取入口
６ａ取入口
７　第１屈曲部
８　第２屈曲部
９　排出口
９ａ排出口
１０　両面テープ
１１　サイドミラー上面
１２　サイドミラー下面
１３　パイプ
Ａ　水滴除去装置
Ｂ　水滴除去装置
Ｓ　雨水
Ｗ　空気流
Ｗ１　方向
Ｗ２　吐出流
Ｗ３　吐出流
Ｗ４　吐出流
【図１】
2004090747.tif 000003
【図２】
2004090747.tif 000004
【図３】
2004090747.tif 000005
【図４】
2004090747.tif 000006
【図５】
2004090747.tif 000007
【図６】
2004090747.tif 000008